(57)【要約】【課題】本発明の目的は、安定した遮断及び絶縁性能を実現できる開閉器及び分電盤を提供する。【解決手段】開閉器３は、負荷１１０からの２つの非接地電線２０２が接続される２つの第２端子ｔ２と、負荷１１０からの電線２０３が接続される第３端子ｔ３と、ケース３００と、を備える。ケース３００は、２つの第２端子ｔ２をそれぞれ保持する２つの第２端子保持部３７０及び第３端子ｔ３を保持する第３端子保持部３８０を有する。２つの第２端子保持部３７０及び第３端子保持部３８０は、ケース３００の第１方向の端部にある。２つの第２端子保持部３７０は、第１方向に直交する第２方向に並ぶ。第３端子保持部３８０は、第２方向において、２つの第２端子保持部３７０の中間にある。【選択図】  図３
2018037318.tif 000002
【特許請求の範囲】
【請求項１】
電源が電気的に接続される２つの第１端子と、
負荷からの２つの非接地電線が接続される２つの第２端子と、
前記２つの第１端子と前記２つの第２端子との間にそれぞれ電気的に接続される２つの接点部と、
前記負荷からの電線が接続される第３端子と、
接続対象部材に電気的に接続される第４端子と、
前記第３端子と前記第４端子とを電気的に接続する接続回路と、
前記２つの第２端子をそれぞれ保持する２つの第２端子保持部及び前記第３端子を保持する第３端子保持部を有し、前記２つの接点部及び前記接続回路を収容するケースと、
を備え、
前記２つの第２端子保持部及び前記第３端子保持部は、前記ケースの第１方向の端部にあり、
前記２つの第２端子保持部は、前記第１方向に直交する第２方向に並び、
前記第３端子保持部は、前記第２方向において、前記２つの第２端子保持部の中間にある、
開閉器。
【請求項２】
前記ケースは、前記２つの接点部が収容される空間と繋がる一対の排気口を有し、
前記一対の排気口は、前記第２方向において、前記第３端子保持部の両側に位置する、
請求項１の開閉器。
【請求項３】
前記２つの接点部を開閉するためのハンドルを更に備え、
前記ハンドルは、前記ケースにおける前記第１方向及び前記第２方向に直交する第３方向の第１面に設けられ、
前記第３端子保持部は、前記２つの第２端子保持部よりも、前記ケースの前記第１面とは反対側の第２面側にある、
請求項１又は２の開閉器。
【請求項４】
前記第３端子保持部は、前記第１方向において、前記２つの第２端子保持部よりも前記ケースの外方に突出している、
請求項３の開閉器。
【請求項５】
前記２つの第２端子は、それぞれ、前記２つの第２端子と前記２つの非接地電線との接続を解除するための２つの第１解除部材を有し、
前記第３端子は、前記第３端子と前記電線との接続を解除するための第２解除部材を有し、
前記２つの第１解除部材及び前記第２解除部材のうちの一つは、他と材料の色が異なる、
請求項１〜４のいずれか一つの開閉器。
【請求項６】
前記第２解除部材は、前記２つの第１解除部材と材料の色が異なる、
請求項５の開閉器。
【請求項７】
前記第３端子の種類を示す標識部を更に備え、
前記標識部は、前記第３端子又は前記第３端子保持部に設けられる、
請求項１〜６のいずれか一つの開閉器。
【請求項８】
前記ケースは、前記第４端子を保持する第４端子保持部を有し、
前記第４端子保持部は、前記第１方向及び前記第２方向に直交する方向において、前記第３端子保持部と並ぶ、
請求項１〜７のいずれか一つの開閉器。
【請求項９】
前記ケースは、前記第３端子保持部及び前記第４端子保持部を構成する内側ケースと、前記第２方向における前記内側ケースの両側をそれぞれ覆う第１部位及び第２部位を有する外側ケースと、を含み、
前記２つの第２端子保持部の一方は、前記第１部位と、前記内側ケースにおける前記第１部位と対向する部位とで構成され、
前記２つの第２端子保持部の他方は、前記第２部位と、前記内側ケースにおける前記第２部位と対向する部位とで構成される、
請求項８の開閉器。
【請求項１０】
請求項１〜９のいずれか一つの開閉器と、
前記開閉器を収容するキャビネットと、
を備える、
分電盤。
【発明の詳細な説明】
【技術分野】
【０００１】
本発明は、一般に開閉器及び分電盤に関し、特に負荷及び電源に電気的に接続される開閉器及び分電盤に関する。
【背景技術】
【０００２】
従来、様々な開閉器が提供されており、例えば、特許文献１は、開閉器として、分電盤に使用される分岐開閉器を開示する。特許文献１の分岐開閉器は、負荷が接続される分岐線が接続される２つの第２端子と、負荷の接地極に電気的に接続された接地分岐線が接続される２つの第３端子と、を備える。また、分岐開閉器は、２つの第２端子及び２つの第３端子を収納するケースを備える。２つの第２端子及び２つの第３端子は、ケースの長手方向の端部に、高さ方向に２段に並ぶように設けられている。特に、２つの第３端子が、それぞれ、２つの第２端子の下方に位置する。
【先行技術文献】
【特許文献】
【０００３】
【特許文献１】特開２０１６−１２７７９１号公報
【発明の概要】
【発明が解決しようとする課題】
【０００４】
特許文献１は、第３端子を２つではなく１つ備える分岐開閉器も開示する。この分岐開閉器では、第３端子は、２つの第２端子の一方の下方に位置するようにケースに収納されている。この場合、分岐開閉器の回路の対称性（特に左右対称性）を向上させることが難しく、安定した遮断及び絶縁性能を得にくい。
【０００５】
本発明の課題は、安定した遮断及び絶縁性能を実現できる開閉器及び分電盤を提供することである。
【課題を解決するための手段】
【０００６】
本発明に係る一態様の開閉器は、２つの第１端子と、２つの第２端子と、２つの接点部と、第３端子と、第４端子と、接続回路と、ケースと、を備える。前記２つの第１端子は、電源が電気的に接続される。前記２つの第２端子は、負荷からの２つの非接地電線が接続される。前記２つの接点部は、前記２つの第１端子と前記２つの第２端子との間にそれぞれ電気的に接続される。前記第３端子は、前記負荷からの電線が接続される。前記第４端子は、接続対象部材に電気的に接続される。前記接続回路は、前記第３端子と前記第４端子とを電気的に接続する。前記ケースは、前記２つの第２端子をそれぞれ保持する２つの第２端子保持部及び前記第３端子を保持する第３端子保持部を有する。前記ケースは、前記２つの接点部及び前記接続回路を収容する。前記２つの第２端子保持部及び前記第３端子保持部は、前記ケースの第１方向の端部にある。前記２つの第２端子保持部は、前記第１方向に直交する第２方向に並ぶ。前記第３端子保持部は、前記第２方向において、前記２つの第２端子保持部の中間にある。
【０００７】
本発明に係る一態様の分電盤は、上記開閉器と、前記開閉器を収容するキャビネットと、を備える。
【発明の効果】
【０００８】
本発明に係る態様の開閉器及び分電盤によれば、安定した遮断及び絶縁性能を実現できるという効果を奏する。
【図面の簡単な説明】
【０００９】
【図１】図１は一実施形態の分電盤の概略回路図である。
【図２】図２は前記分電盤の分岐開閉器の概略回路図である。
【図３】図３Ａ、図３Ｂ、図３Ｃ、及び図３Ｄは、それぞれ、前記分岐開閉器の正面図、側面図、平面図、及び底面図である。
【図４】図４は前記分岐開閉器の斜視図である。
【図５】図５Ａ及び図５Ｂは、前記分岐開閉器の一部を切り欠いた側面図である。
【図６】図６は前記分岐開閉器のケースの分解斜視図である。
【図７】図７は前記分岐開閉器の接地ブロックの斜視図である。
【図８】図８は前記分岐開閉器の接地ブロックの分解斜視図である。
【図９】図９は前記分岐開閉器の一部を切り欠いた別の側面図である。
【図１０】図１０は前記分岐開閉器の別の平面図である。
【発明を実施するための形態】
【００１０】
１．実施形態
以下、本実施形態に係る開閉器及び分電盤について図面を参照して詳しく説明する。本実施形態の開閉器は、分岐回路に電気的に接続される開閉器（分岐開閉器）である。また、本実施形態の分電盤は、例えば工場やオフィスなどの建物（施設）に設置される分電盤である。
【００１１】
本実施形態の分電盤１は、図１に示すように、一面（前面）に開口を有するキャビネット１０と、キャビネット１０の開口を覆うようにキャビネット１０に取り付けられる扉と、を備える。なお、扉は必須ではない。
【００１２】
キャビネット１０は、主幹開閉器２と、１以上の分岐開閉器３とを収容する。キャビネット１０は、側壁に、配線を通すための１以上の貫通孔を備える。配線は、例えば、商用電源などの電源１００に接続される電源線２０１、負荷に接続される分岐線（非接地電線）２０２及び分岐接地線（接地電線）２０３、接地線２０６などを含む。また、キャビネット１０は、接地線２０６を接続するための接地端子１１を内部に備える。
【００１３】
また、キャビネット１０は、取付部材４と、３つの導電バー５と、カバー６と、を収容する。
【００１４】
取付部材４は、１以上の分岐開閉器３を分電盤１に取り付けるための部材である。取付部材４は、矩形の金属板である取付板４１と、取付板４１に設けられるネジ端子４２と、を備える。取付部材４は、キャビネット１０の内部（例えば、底面）に例えばネジで固定される。ネジ端子４２は、接地線２０５により接地端子１１に電気的に接続される。接地端子１１は接地線２０６を介して接地されるため、取付部材４（取付板４１）は接地線２０５，２０６を介して接地される。
【００１５】
３つの導電バー５は、主幹開閉器２と１以上の分岐開閉器３とを電気的に接続する母線であり、電圧極（Ｌ１相及びＬ２相）及び中性極に対応する。３つの導電バー５は、取付板４１の幅方向の中央部の前方に、取付板４１の長手方向に沿って延びるように配置される。図１に示すように、複数の分岐開閉器３は、３つの導電バー５の幅方向の両側に、３つの導電バー５の長手方向に沿って並ぶように取り付けられる。
【００１６】
カバー６は、合成樹脂製であって、電気絶縁性を有している。カバー６は、３つの導電バー５を前方から覆うように配置される。
【００１７】
主幹開閉器２は、３つの一次側の端子２１と、３つの二次側の端子２２と、を備える。３つの一次側の端子２１は、それぞれ、電源１００からの単相三線式の３つの電源線２０１に接続される。３つの二次側の端子２２は、電圧極（Ｌ１相、Ｌ２相）と中性極との３つの導電バー（母線）５の一端に電気的に接続される。このようにして、主幹開閉器２は、３つの導電バー５を電源１００に電気的に接続する。
【００１８】
次に、本実施形態の開閉器（分岐開閉器３）について図２〜図１０を参照して説明する。
【００１９】
まず、図２を参照して、分岐開閉器３の電気的な構成を説明する。分岐開閉器３は、図２に示すように、２つの第１端子ｔ１と、２つの第２端子ｔ２と、２つの接点部３１と、第３端子ｔ３と、第４端子ｔ４と、接続回路３２と、を備える。
【００２０】
２つの第１端子ｔ１の各々には、導電バー５が接続される。これにより、２つの第１端子ｔ１には、電源１００が電気的に接続される。分岐開閉器３が１００Ｖ用の開閉器である場合は、２つの第１端子ｔ１のうちの一方には電圧極（Ｌ１相又はＬ２相）の導電バー５が接続され、２つの第１端子ｔ１のうちの他方には中性極の導電バー５が接続される。分岐開閉器３が２００Ｖ用の開閉器である場合は、２つの第１端子ｔ１のうちの一方にはＬ１相の導電バー５が接続され、２つの第１端子ｔ１のうちの他方にはＬ２相の導電バー５が接続される。
【００２１】
２つの第２端子ｔ２の各々には、非接地電線（分岐線）２０２が接続される。非接地電線２０２には、負荷１１０が電気的に接続される。これにより、２つの第２端子ｔ２には、負荷１１０が電気的に接続される。負荷１１０は、例えば接地極付きのコンセントなどの配線器具、並びに、照明器具及び空調装置等の種々の電気機器などである。
【００２２】
２つの接点部３１の各々は、対応する第１端子ｔ１と第２端子ｔ２との間に電気的に接続されている。分岐開閉器３は、分岐線２０２に流れる負荷電流が、あらかじめ決められたしきい値を超えると、接点部３１を強制的に開極させる過電流保護機能を備えている。また、２つの接点部３１は、ハンドル３３０（図４参照）の操作に応じて、オン状態（閉極）及びオフ状態（開極）の何れかに切り替えられる。
【００２３】
第３端子ｔ３は、負荷１１０の接地電線（接地分岐線）２０３が電気的に接続されるアース端子である。接地電線２０３は、負荷１１０の接地極に電気的に接続されている。例えば、負荷１１０が接地極付きのコンセントであれば、コンセントの接地極が接地電線２０３を介して第３端子ｔ３に電気的に接続される。また、負荷１１０が照明器具等の電気機器であれば、電気機器の接地端子が接地電線２０３を介して第３端子ｔ３に電気的に接続される。
【００２４】
第４端子ｔ４は、接続対象部材に電気的に接続される端子（接続端子）である。本実施形態において接続対象部材は取付部材４（取付板４１）である。第４端子ｔ４は、分岐開閉器３が取付部材４に取り付けられた状態で、接続対象部材としての取付部材４に電気的に接続される。取付部材４は、上述したように接地されているので、第４端子ｔ４は、取付部材４を介して接地される。
【００２５】
接続回路３２は、第４端子ｔ４と第３端子ｔ３を電気的に接続する。本実施形態においては、第４端子ｔ４は接地され、第３端子ｔ３は負荷１１０の接地電線２０３に電気的に接続される。つまり、接続回路３２は、負荷１１０の接地経路の一部を構成する。そのため、接続回路３２の抵抗値は接地工事の種類ごとに定められた接地抵抗値に適合する必要があり、接続回路３２は十分小さい抵抗値で第４端子ｔ４と第３端子ｔ３との間を電気的に接続する。
【００２６】
次に、図３Ａ〜図３Ｄ、図４、図５Ａ，図５Ｂ、及び図６〜図１０を参照して、分岐開閉器３の機械的な構成を説明する。
【００２７】
分岐開閉器３は、ケース３００と、ハンドル３３０と、表示部６１０と、を更に備える。
【００２８】
ケース３００は、２つの第１端子ｔ１、２つの第２端子ｔ２、第３端子ｔ３、第４端子ｔ４、及び表示部６１０を保持し、２つの接点部３１及び接続回路３２を収容する。ケース３００は、図３Ａ〜図３Ｄ及び図４に示すように、全体として直方体状に形成されている。ケース３００は、互いに直交する第１方向（図３Ｂ〜図３Ｄの左右方向）、第２方向（図３Ａの左右方向、図３Ｃ，図３Ｄの上下方向）、及び第３方向（図３Ａ，図３Ｂの上下方向）を有する。ケース３００は、第１方向の寸法が最も大きく、次いで第３方向の寸法、第２方向の寸法の順に大きい。つまり、第１方向、第２方向、及び第３方向は、それぞれ、ケース３００の長手方向、幅方向、及び高さ方向である。ケース３００は、図３Ｂに示すように、第３方向の両面である第１面３０１及び第２面３０２を有する。分岐開閉器３は、第２面３０２が取付部材４に対向するようにして、取付部材４に取り付けられる。したがって、分岐開閉器３が取付部材４に取り付けられた状態では、作業者は、ケース３００の第１面３０１側から分岐開閉器３を見ることになる。
【００２９】
ハンドル３３０は、図３Ｂ，図３Ｃに示すように、ケース３００における第３方向（図３Ｂの上下方向）の第１面（図３Ｂにおける上面）３０１に設けられている。
【００３０】
次に、ケース３００で保持される、２つの第１端子ｔ１、２つの第２端子ｔ２、第３端子ｔ３、第４端子ｔ４、及び表示部６１０について説明する。
【００３１】
２つの第１端子ｔ１は、同じ形状であり、導電バー５をその厚み方向の両側から挟む刃受け部材３６０（図３Ｂ参照）により構成される。刃受け部材３６０は、弾性及び導電性を有する金属材料（例えばリン青銅などの銅合金）で形成される。
【００３２】
２つの第２端子ｔ２は、同じ速結端子７００（図５Ａ参照）で構成されている。速結端子７００は、端子板（第１端子板）７１０と、鎖錠ばね（第１鎖錠ばね）７２０と、解除部材（第１解除部材）７６０と、復帰ばね７８０と、を有している。
【００３３】
第１端子板７１０は、金属製である。第１端子板７１０は、対応する接点部３１に電気的に接続される。
【００３４】
第１鎖錠ばね７２０は、帯板状の中央片７３０と、鎖錠片７４０と、押圧片７５０とを有している。鎖錠片７４０は、中央片７３０の長手方向の一端から延長されており、略Ｊ字形に形成されている。押圧片７５０は、中央片７３０の長手方向の他端から延長されており、略Ｓ字形に形成されている。第１鎖錠ばね７２０は、鎖錠片７４０及び押圧片７５０が第１端子板７１０に対向するように配置される。
【００３５】
第１解除部材７６０は、合成樹脂製であって、電気絶縁性を有している。第１解除部材７６０は、第２端子ｔ２と電線（非接地電線２０２）との接続を解除するための部材である。第１解除部材７６０は、第２端子ｔ２と非接地電線２０２との接続を解除する位置（解除位置）と、第２端子ｔ２と非接地電線２０２との接続を解除しない位置（保持位置）との間で回動可能にケース３００に取り付けられる。
【００３６】
図５Ａでは、第１解除部材７６０は保持位置にある。解除位置は、保持位置から図５Ａの時計回り方向に回転した位置である。第１解除部材７６０は、第１解除部材７６０をケース３００に回動可能に取り付けるための軸受け７６１及び軸と、第１解除部材７６０を操作するための操作突起７７０と、第１鎖錠ばね７２０を押圧するための作用突起７６２と、を有する。
【００３７】
復帰ばね７８０は、第１解除部材７６０を保持位置に位置させる。復帰ばね７８０は、トーションばねであり、図５Ａにおける反時計回り方向に第１解除部材７６０を付勢する。
【００３８】
第３端子ｔ３は、速結端子８００（図５Ｂ参照）で構成されている。速結端子８００は、図４、図５Ｂ及び図８に示すように、端子板（第２端子板）８１０と、鎖錠ばね（第２鎖錠ばね）８２０と、解除部材（第２解除部材）８６０と、復帰ばね８８０と、標識部８９０と、を有している。
【００３９】
第２端子板８１０は、金属製である。第２端子板８１０は、接続回路３２に電気的に接続される。
【００４０】
第２鎖錠ばね８２０は、帯板状の中央片８３０と、鎖錠片８４０と、押圧片８５０とを有している。鎖錠片８４０は、中央片８３０の長手方向の一端から延長されており、略Ｊ字形に形成されている。押圧片８５０は、中央片８３０の長手方向の他端から延長されており、略Ｓ字形に形成されている。第２鎖錠ばね８２０は、鎖錠片８４０及び押圧片８５０が第２端子板８１０に対向するように配置される。
【００４１】
第２解除部材８６０は、合成樹脂製であって、電気絶縁性を有している。第２解除部材８６０は、第３端子ｔ３と電線（接地電線２０３）との接続を解除するための部材である。第２解除部材８６０は、第３端子ｔ３と接地電線２０３との接続を解除する位置（解除位置）と、第３端子ｔ３と接地電線２０３との接続を解除しない位置（保持位置）との間で回動可能にケース３００に取り付けられる。
【００４２】
図５Ｂでは、第２解除部材８６０は保持位置にある。解除位置は、保持位置から図５Ｂの時計回り方向に回転した位置である。第２解除部材８６０は、第２解除部材８６０をケース３００に回動可能に取り付けるための軸受け８６１（図５Ｂ参照）及び軸８６３（図８参照）を有する。また、第２解除部材８６０は、第２解除部材８６０を操作するための操作突起８７０と、第２鎖錠ばね８２０を押圧するための作用突起８６２と、を有する。
【００４３】
第２解除部材８６０は、２つの第１解除部材７６０と材料の色が異なる。これにより、第２解除部材８６０と第１解除部材７６０とを容易に区別することができ、第１解除部材７６０と第２解除部材８６０との誤操作を抑制できる。例えば、第２解除部材８６０の材料の色は緑であり、第１解除部材７６０の材料の色は白である。
【００４４】
復帰ばね８８０は、第２解除部材８６０を保持位置に位置させる。復帰ばね８８０は、トーションばねであり、図５Ｂにおける反時計回り方向に第２解除部材８６０を付勢する。
【００４５】
標識部８９０は、第３端子ｔ３の種類を示す。本実施形態において、第３端子ｔ３はアース端子であるため、標識部８９０は、アースを示す。標識部８９０は、図４に示すように、アースを示す記号である。標識部８９０は、第２解除部材８６０の操作突起８７０においてケース３００の第１面３０１側から視認できる位置に形成される。標識部８９０によれば、第３端子ｔ３の種類を容易に判別できる。
【００４６】
第４端子ｔ４は、接触端子５００で構成されている。接触端子５００は、図５Ｂ及び図８に示すように、端子板（第３端子板）５１０と、ホルダ５２０と、接圧ばね５３０と、を備える。
【００４７】
第３端子板５１０は、金属製である。第３端子板５１０は、矩形状の板部５１０ａと、一対の接点５１０ｂと、一対の側片５１０ｃと、を備える。一対の接点５１０ｂは、板部５１０ａの前面（図５Ｂにおける下面）に設けられる。一対の側片５１０ｃは、板部５１０ａの両端（ケース３００の第２方向と平行な方向の両端）から後方に突出する。一対の側片５１０ｃの各々は、外方に突出する一対の突起５１０ｄを備える。
【００４８】
ホルダ５２０は、第３端子板５１０をその前後方向に移動可能に保持する。ホルダ５２０は、合成樹脂製であって、電気絶縁性を有している。ホルダ５２０は、矩形状の底板部５２０ａと、一対の側部５２０ｂと、一対のストッパ５２０ｃと、一対の突起５２０ｄと、位置決め部５２０ｅと、を備える。一対の側部５２０ｂは、底板部５２０ａの両端（ケース３００の第２方向と平行な方向の両端）から前方に突出する。一対のストッパ５２０ｃは、一対の側部５２０ｂの前端に形成される。一対のストッパ５２０ｃの各々は、対応する一対の突起５１０ｄの前面に当たることで、第３端子板５１０の前方への移動を規制する。一対の突起５２０ｄは、底板部５２０ａの両端（ケース３００の第２方向と平行な方向の両端）から側方に突出する。位置決め部５２０ｅは、接圧ばね５３０を位置決めするために用いられる。位置決め部５２０ｅは、底板部５２０ａの前面に形成される。位置決め部５２０ｅは、円柱状に形成される。接圧ばね５３０は、第３端子板５１０をホルダ５２０に対して前方へ付勢するために用いられる。
【００４９】
ここで、第３端子板５１０は、各側片５１０ｃの一対の突起５１０ｄがホルダ５２０の底板部５２０ａと対応するストッパ５２０ｃとの間に位置するように、ホルダ５２０に取り付けられる。また、接圧ばね５３０は、内部に位置決め部５２０ｅが挿入された状態で、第３端子板５１０の板部５１０ａとホルダ５２０の底板部５２０ａとの間に配置される。
【００５０】
このような第４端子ｔ４は、突出位置（図５Ｂ参照）と収納位置（図９参照）との間でケース３００の第３方向（図５Ｂ、図９における上下方向）に移動可能にケース３００に取り付けられる。突出位置は、第４端子ｔ４がケース３００の第２面３０２から外方に突出する位置である。第４端子ｔ４が突出位置にある場合、第４端子ｔ４を取付部材４に接触させることができる。この場合、分岐開閉器３は、第４端子ｔ４（接触端子５００）が接続対象部材（取付部材４）に接触している状態（第１状態）であるといえる。収納位置は、第４端子ｔ４がケース３００の内部にある位置である。第４端子ｔ４が収納位置にある場合、第４端子ｔ４を取付板４１に接触させることができない。この場合、分岐開閉器３は、第４端子ｔ４が接続対象部材に接触していない状態（第２状態）であるといえる。
【００５１】
表示部６１０は、第４端子ｔ４が突出位置にあるか収納位置にあるかを表示するための部材である。言い換えれば、表示部６１０は、第４端子ｔ４に接続対象部材（取付部材４）が電気的に接続されているか否かを表示する。表示部６１０は、第４端子ｔ４を突出位置に位置させる第１位置（図５Ｂ参照）と第４端子ｔ４を収納位置に位置させる第２位置（図９参照）との間で直進動作が可能なように、ケース３００に保持される。つまり、表示部６１０は、第４端子ｔ４を突出位置と収納位置との間で移動させるための操作部としても機能する。このように、表示部６１０は、接続対象部材である取付部材４に対して第４端子ｔ４である接触端子５００を移動させることにより、第１状態と第２状態とを切り替えるように操作される操作部を兼用する。第４端子ｔ４は、接続対象部材に接触することで接続対象部材に電気的に接続される。そのため、第４端子ｔ４と接続対象部材との電気的な接続関係に着目すれば、第１状態は、第４端子ｔ４が接続対象部材に電気的に接続されているオン状態となる。一方、第２状態は、第４端子ｔ４が接続対象部材に電気的に接続されていないオフ状態となる。
【００５２】
表示部６１０は、合成樹脂製であって、電気絶縁性を有している。表示部６１０は、棒状の軸部６１１と、頭部６１２と、押圧部６１３とを有している。
【００５３】
頭部６１２は、人が操作する部位である。頭部６１２は、主部６１２ａと、第１突起６１２ｂと、第２突起６１２ｃと、溝６１２ｄと、を有する。
【００５４】
主部６１２ａは、軸部６１１の第１端（図５Ｂにおける上端）に設けられる。主部６１２ａは、円柱状に形成される。主部６１２ａは、軸部６１１の中心軸（表示部６１０の中心軸に等しい）に直交する面内において外形形状が軸部６１１より大きい。
【００５５】
第１突起６１２ｂは、図３Ｃに示すように、直方体状である。第１突起６１２ｂは、主部６１２ａから側方に突出している。
【００５６】
第２突起６１２ｃは、図３Ｃに示すように、三角柱状である。第２突起６１２ｃは、軸部６１１の軸方向に直交する面内において３つの頂点のうちの一つが主部６１２ａより突出し、かつ、第１突起６１２ｂとは反対側を向くように、主部６１２ａに設けられる。第２突起６１２ｃは、表示部６１０の回転位置を示す目印としても機能する。
【００５７】
溝６１２ｄは、主部６１２ａにおける軸部６１１とは反対側の面（図５Ｂの上面）に形成される。溝６１２ｄは、直線状であり、その長手方向が、第１突起６１２ｂと第２突起６１２ｃとが対向する方向と直交している。溝６１２ｄは、表示部６１０の向きを示す直線状の目印として機能する。この溝６１２ｄ（目印）は、その長手方向が、表示部６１０の中心軸（回転軸）とも直交している。そのため、表示部６１０の回転に対して目印（溝６１２ｄ）の向きが変わりやすいから、表示部６１０が第１位置にあるか第２位置にあるかを容易に判別できる。
【００５８】
溝６１２ｄは、例えばマイナスドライバのような工具の先端部が嵌まる形状である。ここで、工具は、マイナスドライバに限定されず、プラスドライバ、六角ドライバ（六角棒スパナ）、及びヘックスローブドライバ等の汎用の工具、並びに、特殊ねじ等に適合する特殊工具でもよい。さらに、工具は、人が表示部６１０を操作するときに使用する器具及び道具であればよく、例えば針金をピックツールとして用いるなど、本来の用途以外で使用される器具及び道具であってもよい。したがって、目印が表示部６１０に形成された溝６１２ｄであるから、目印である溝６１２ｄを用いて表示部６１０を容易に操作できる。また、表示部６１０の形状自体が目印となるから、プリント等の作業が不要になり、製造コストの低下が図れる。
【００５９】
押圧部６１３は、第４端子ｔ４と接触する部位である。押圧部６１３は、当接部６１３ａと、一対の第１ストッパ６１３ｂと、一対の第２ストッパ６１３ｃと、を有する。
【００６０】
当接部６１３ａは、軸部６１１の第２端（図５Ｂにおける下端）に設けられる。当接部６１３ａは、円柱状に形成される。当接部６１３ａは、軸部６１１の軸方向に直交する面内において外形形状が軸部６１１より大きい。
【００６１】
一対の第１ストッパ６１３ｂは、表示部６１０を第１位置に保持するために用いられる。一対の第１ストッパ６１３ｂは、角柱状である。一対の第１ストッパ６１３ｂは、当接部６１３ａから頭部６１２側に突出する。一対の第１ストッパ６１３ｂは、軸部６１１を挟んで互いに対向する。一対の第１ストッパ６１３ｂが対向する方向は、溝６１２ｄの長手方向と一致している。
【００６２】
一対の第２ストッパ６１３ｃは、表示部６１０を第２位置に保持するために用いられる。一対の第２ストッパ６１３ｃは、角柱状である。一対の第２ストッパ６１３ｃは、当接部６１３ａから頭部６１２側に突出する。一対の第２ストッパ６１３ｃは、軸部６１１を挟んで互いに対向する。一対の第２ストッパ６１３ｃが対向する方向は、頭部６１２の第１突起６１２ｂと第２突起６１２ｃとが対向する方向と一致している。したがって、一対の第１ストッパ６１３ｂが対向する方向と一対の第２ストッパ６１３ｃが対向する方向とは直交している。また、一対の第２ストッパ６１３ｃは、一対の第１ストッパ６１３ｂより背が低い。
【００６３】
次に、ケース３００について説明する。
【００６４】
ケース３００は、図３Ｂに示すように、第１方向（図３Ｂの左右方向）の第１端部（図３Ｂの左端部）に、ケース３００の第２方向に延びる３つのスリット３５０を備える。３つのスリット３５０は、第３方向（図３Ｂにおける上下方向）において並んでいる。３つのスリット３５０は、ケース３００内の空間３０４（図５Ａ，図５Ｂ参照）と繋がっており、２つの第１端子ｔ１は、３つのスリット３５０のうちの２つに配置される。なお、この空間３０４には、２つの接点部３１が収容される。２つの刃受け部材３６０（２つの第１端子ｔ１）が対応するスリット３５０に挿入された導電バー５と接触することによって、２つの第１端子ｔ１と２つの導電バー５とが電気的に接続される。
【００６５】
ケース３００は、図３Ａ、図３Ｂ、図３Ｄ、図５Ａ及び図５Ｂに示すように、第１方向（図３Ｂの左右方向）の第２端部（図３Ｂの右端部）に、２つの第２端子保持部３７０と、第３端子保持部３８０と、第４端子保持部３４０と、表示保持部３９０と、を備える。
【００６６】
２つの第２端子保持部３７０の各々は、図５Ａに示すように、ケース３００において第２端子ｔ２を保持する部分である。２つの第２端子保持部３７０は、図３Ａに示すように、ケース３００の第１方向（図３Ａの紙面に直交する方向）に直交する第２方向（図３Ａの左右方向）において並んでいる。また、２つの第２端子保持部３７０は、ケース３００の第２端部において第１面３０１側に位置している。
【００６７】
２つの第２端子保持部３７０の各々は、図５Ａに示すように、第２端子収容空間３７１と、端子孔３７２と、開口３７３とを備える。言い換えれば、第２端子保持部３７０は、ケース３００において第２端子収容空間３７１、端子孔３７２、及び開口３７３が形成された部位である。
【００６８】
第２端子収容空間３７１は、速結端子７００（第２端子ｔ２）を収容する空間である。端子孔３７２は、第２端子収容空間３７１とケース３００の外部とを繋ぐ孔であり、第２端子収容空間３７１に非接地電線２０２を挿入するために用いられる。開口３７３は、第１解除部材７６０の操作突起７７０をケース３００の外部に突出させる。開口３７３は、端子孔３７２よりも第１面３０１側に位置する。
【００６９】
第２端子保持部３７０の端子孔３７２からケース３００の内部（第２端子収容空間３７１）に電線の先端部が挿入されると、この電線の先端部に鎖錠片７４０の先端が食い込み、電線が抜け止めされた状態となる。この状態で、電線の先端部は第１端子板７１０と押圧片７５０とに挟まれ、押圧片７５０の弾性力によって電線の先端部が第１端子板７１０に押し付けられる。そのため、電線と第１端子板７１０とが電気的に接続される。
【００７０】
第１鎖錠ばね７２０と第１端子板７１０との間に電線が挿入されている状態で、第１解除部材７６０が保持位置から解除位置まで回動されると、第１解除部材７６０の作用突起７６２で鎖錠片７４０が第１端子板７１０から離れる向きに押される。鎖錠片７４０が第１端子板７１０から離れる向きに押されると、鎖錠片７４０の先端が電線から離れるので、電線の抜け止め状態が解除され、速結端子７００から電線の取り外しが可能になる。一方、操作突起７７０を操作する力がなくなると、復帰ばね７８０及び鎖錠片７４０の弾性力によって作用突起７６２が押され、第１解除部材７６０が解除位置から保持位置に戻る。
【００７１】
第３端子保持部３８０は、図５Ｂに示すように、ケース３００において第３端子ｔ３を保持する部分である。第３端子保持部３８０は、図３Ａに示すように、第２方向（図３Ａにおける左右方向）において、一対の第２端子保持部３７０の中間に位置する。そのため、分岐開閉器３の回路（特に、電源１００と負荷１１０との間の電力供給路を構成する回路）をケース３００内に、第２方向に直交し、かつ、２つの第２端子保持部３７０間の中点を通る面に対して面対称に配置できる。これにより、分岐開閉器３の回路の対称性の向上を図ることができる。したがって、安定した遮断及び絶縁性能を実現できる。また、負荷１１０からの非接地電線２０２及び接地電線２０３をまとめて分岐開閉器３に接続することができる。そのため、負荷１１０と分岐開閉器３との接続に多芯ケーブルを用いる場合でも、多芯ケーブルの被覆を除去する作業量を低減できる。特に、接地電線２０３を分電盤１の接地端子１１に接続する場合に比べれば、作業量を大幅に低減でき、施工者の負担を軽減できる。
【００７２】
また、第３端子保持部３８０は、図３Ａに示すように、ケース３００の第２端部において第３方向の中央部に位置している。つまり、第３端子保持部３８０は、一対の第２端子保持部３７０よりも、第３方向において第１面３０１とは反対側のケース３００の第２面３０２側に位置する。このように第３端子保持部３８０が一対の第２端子保持部３７０と第２方向において並ばないから、ケース３００の第２方向の寸法を小さくして薄型化が図れる。また、第３端子保持部３８０は、図３Ｂ，図３Ｃに示すように、第１方向において、２つの第２端子保持部３７０よりもケース３００の外方（図３Ｂ，図３Ｃにおける右方）に突出している。そのため、ケース３００の第１面３０１側から第３端子保持部３８０を視認しやすくなり、第３端子ｔ３に電線（接地電線２０３）を接続しやすくなる。
【００７３】
第３端子保持部３８０は、第３端子収容空間３８１と、端子孔３８２と、開口３８３と、を有する。言い換えれば、第３端子保持部３８０は、ケース３００において第３端子収容空間３８１、端子孔３８２、及び開口３８３が形成された部位である。
【００７４】
第３端子収容空間３８１は、速結端子８００（第３端子ｔ３）を収容する空間である。端子孔３８２は、第３端子収容空間３８１とケース３００の外部とを繋ぐ孔であり、第３端子収容空間３８１に接地電線２０３を挿入するために用いられる。開口３８３は、第２解除部材８６０の操作突起８７０をケース３００の外部に突出させる。開口３８３は、端子孔３８２よりも第１面３０１側に位置する。
【００７５】
第３端子保持部３８０の端子孔３８２からケース３００の内部（第３端子収容空間３８１）に電線の先端部が挿入されると、この電線の先端部に鎖錠片８４０の先端が食い込み、電線が抜け止めされた状態となる。この状態で、電線の先端部は第２端子板８１０と押圧片８５０とに挟まれ、押圧片８５０の弾性力によって電線の先端部が第２端子板８１０に押し付けられる。そのため、電線と第２端子板８１０とが電気的に接続される。
【００７６】
第２鎖錠ばね８２０と第２端子板８１０との間に電線が挿入されている状態で、第２解除部材８６０が保持位置から解除位置まで回動されると、第２解除部材８６０の作用突起８６２で鎖錠片８４０が第２端子板８１０から離れる向きに押される。鎖錠片８４０が第２端子板８１０から離れる向きに押されると、鎖錠片８４０の先端が電線から離れるので、電線の抜け止め状態が解除され、速結端子８００から電線の取り外しが可能になる。一方、操作突起８７０を操作する力がなくなると、復帰ばね８８０及び鎖錠片８４０の弾性力によって作用突起８６２が押され、第２解除部材８６０が解除位置から保持位置に戻る。
【００７７】
第４端子保持部３４０は、図５Ｂに示すように、ケース３００において第４端子ｔ４を保持する部分である。第４端子保持部３４０は、図３Ａに示すように、第２方向（図３Ａにおける左右方向）において、一対の第２端子保持部３７０の中間に位置する。また、第４端子保持部３４０は、第１方向及び第２方向に直交する方向（第３方向、図３Ａにおける上下方向）において、第３端子保持部３８０に対して２つの第２端子保持部３７０とは反対側に位置する。このように、第４端子保持部３４０は、第３方向において、第３端子保持部３８０と並ぶ。そのため、分岐開閉器３の回路の対称性の向上を図ることができる。したがって、分岐開閉器３の遮断及び絶縁性能がより安定する。
【００７８】
第４端子保持部３４０は、図５Ａ、図５Ｂ及び図７に示すように、第４端子収容空間３４１と、一対のスリット３４２と、を有する。言い換えれば、第４端子保持部３４０は、ケース３００において第４端子収容空間３４１、及び一対のスリット３４２が形成された部位である。
【００７９】
第４端子収容空間３４１は、第４端子ｔ４を第３方向に移動可能に収容する。また、第４端子収容空間３４１は、第３端子板５１０が内側ケース３１０の外部に臨むように、第４端子ｔ４を収容する。第４端子収容空間３４１は、図３Ｄに示すように、ケース３００の第２面３０２における、第１方向（図３Ｄの左右方向）の一端側（図３Ｄの右端側）に位置する。また、第４端子収容空間３４１は、図５Ｂに示すように、第３端子収容空間３８１と繋がっている。そのため、接続回路３２は、第３端子収容空間３８１と第４端子収容空間３４１とにまたがって収容され、第３端子ｔ３と第４端子ｔ４とを電気的に接続する。接続回路３２は、可撓性を有する編組線などの電線である。一対のスリット３４２は、図８に示すように、第３方向に延びる。第４端子ｔ４の一対の突起５２０ｄは、それぞれ一対のスリット３４２に挿入される。これによって、第４端子ｔ４の移動方向が第３方向に制限される。ここで、第４端子保持部３４０には、図５Ａ及び図７に示すように、一対の復帰ばね５４０が取り付けられる。一対の復帰ばね５４０は、第４端子ｔ４を収納位置に保持するために用いられる。一対の復帰ばね５４０は、第４端子ｔ４が突出位置から収納位置に移動するように、一対の突起５１０ｄで第４端子ｔ４を付勢する。
【００８０】
表示保持部３９０は、図５Ｂに示すように、ケース３００において表示部６１０を保持する部分である。表示保持部３９０は、収容部３９１（図５Ｂ及び図９参照）と、挿通規制部３９２（図３Ｃ及び図１０参照）と、一対の当接部３９３（図８参照）と、一対の回転規制部３９４ａ，３９４ｂ（図３Ｃ参照）と、を有する。言い換えれば、表示保持部３９０は、ケース３００（内側ケース３１０）において、収容部３９１、挿通規制部３９２、一対の当接部３９３、及び一対の回転規制部３９４ａ，３９４ｂが形成された部位である。
【００８１】
収容部３９１は、図３Ｃ、図５Ｂ及び図９に示すように、ケース３００の第３方向に沿って延びる円形状の孔である。収容部３９１は、表示部６１０を所定の回転軸の周りに回動可能な大きさに形成される。つまり、表示部６１０は、所定の回転軸の周りに回動可能にケース３００に保持される。所定の回転軸は、表示部６１０の中心軸である。収容部３９１は、表示部６１０の軸部６１１を収容する第１孔部３９１ａと、第２孔部３９１ｂと、第３孔部３９１ｃと、を備える。第２孔部３９１ｂは第１孔部３９１ａの一端（図３Ｂ及び図７の上端）に形成され、第３孔部３９１ｃは第１孔部３９１ａの他端（図３Ｂ及び図７の下端）に形成される。第２孔部３９１ｂは、第１孔部３９１ａより内径が大きく、表示部６１０の頭部６１２を収容可能な大きさに形成される。ただし、第２孔部３９１ｂの内径は、人の指が入らないような大きさである。第３孔部３９１ｃは、第１孔部３９１ａより内径が大きく、表示部６１０の押圧部６１３を収容可能な大きさに形成される。第２孔部３９１ｂはケース３００の第１面３０１に開口し、第３孔部３９１ｃは第４端子収容空間３４１と繋がっている。
【００８２】
挿通規制部３９２は、図５Ｂ及び図９に示すように、収容部３９１の第２孔部３９１ｂに形成される。挿通規制部３９２は、表示部６１０が第１の向き（図３Ｃ参照）と第２の向き（図１０参照）とのいずれかの場合だけ、表示部６１０の頭部６１２を通すように収容部３９１の一端側の開口（第２孔部３９１ｂの開口）の形状を規定する。第１の向きは、図３Ｃに示すように、第２突起６１２ｃがケース３００の第１方向の一方（図３Ｃにおける右方）を向いている向きである。第２の向きは、図１０に示すように、第２突起６１２ｃがケース３００の第２方向の一方（図１０における上方）を向いている向きである。
【００８３】
一対の当接部３９３は、図８に示すように、収容部３９１の第３孔部３９１ｃに形成される。一対の当接部３９３は、第３孔部３９１ｃ内においてケース３００の第２方向における収容部３９１の第１孔部３９１ａの両側に位置する。一対の当接部３９３の各々は、押圧部６１３の第１ストッパ６１３ｂと第２ストッパ６１３ｃとのいずれかが嵌る凹部３９３ａを有する。
【００８４】
表示部６１０が第１の向きである場合、一対の第１ストッパ６１３ｂがケース３００の第２方向に並ぶ。そのため、一対の第１ストッパ６１３ｂを一対の当接部３９３の凹部３９３ａにそれぞれ嵌合させることができる（図５Ｂ参照）。ここで、一対の第１ストッパ６１３ｂの高さは、一対の第１ストッパ６１３ｂが一対の当接部３９３の凹部３９３ａにそれぞれ嵌った状態では、図５Ｂに示すように、表示部６１０の全体がケース３００の内側に位置するように、設定されている。
【００８５】
一方、表示部６１０が第２の向きである場合、一対の第２ストッパ６１３ｃがケース３００の第２方向に並ぶ。そのため、一対の第２ストッパ６１３ｃを一対の当接部３９３の凹部３９３ａにそれぞれ嵌合させることができる（図９参照）。ここで、一対の第２ストッパ６１３ｃの高さは、一対の第１ストッパ６１３ｂより背が低い。そのため、一対の第２ストッパ６１３ｃが一対の当接部３９３の凹部３９３ａにそれぞれ嵌った状態では、図９に示すように、表示部６１０の頭部６１２がケース３００の第１面３０１から突出している。
【００８６】
一対の回転規制部３９４ａ，３９４ｂは、表示部６１０の回転方向を制限する。一対の回転規制部３９４ａ，３９４ｂは、表示部６１０の第２の向きから第１の向きへの回転方向を表示部６１０の軸周りの一方向である接続方向（図３Ｃ及び図１０における反時計回り方向）に制限する。また、一対の回転規制部３９４ａ，３９４ｂは、表示部６１０の第１の向きから第２の向きへの回転方向を接続方向とは反対の解除方向（図３Ｃ及び図１０における時計回り方向）に制限する。一対の回転規制部３９４ａ，３９４ｂは、表示部６１０を第１の向きから接続方向に回転させようとした場合に、第１突起６１２ｂ及び第２突起６１２ｃにそれぞれ当接するように形成される。また、一対の回転規制部３９４ａ，３９４ｂは、表示部６１０を第２の向きから解除方向に回転させようとした場合に、第１突起６１２ｂ及び第２突起６１２ｃにそれぞれ当接するように形成される。このようにして、一対の回転規制部３９４ａ，３９４ｂは、表示部６１０の回転範囲を制限する。
【００８７】
表示部６１０は、図５Ｂ及び図９に示すように、頭部６１２がケース３００の第１面３０１に露出し、押圧部６１３が第４端子ｔ４（ホルダ５２０の底板部５２０ａの後面）に当接するように、収容部３９１に収容される。
【００８８】
表示部６１０の第１位置は、押圧部６１３の一対の第１ストッパ６１３ｂが一対の当接部３９３の凹部３９３ａにそれぞれ嵌っている位置である。第１位置では、図３Ｃ及び図５Ｂに示すように、表示部６１０が第１の向きであり、かつ、表示部６１０の全体がケース３００の内側に位置している。そのため、表示部６１０の頭部６１２は、ケース３００の第１面３０１から突出していない。このように、一対の第１ストッパ６１３ｂと一対の当接部３９３とによって、表示部６１０を第１位置に位置決めする位置決め構造（第１位置決め構造）が構成される。第１位置決め構造は、表示部６１０の回転軸を通る面に対して面対称である。この第１位置決め構造では、表示部６１０が、その回転軸に直交する方向の両側においてケース３００に支持される。そのため、表示部６１０が安定してケース３００に支持される。
【００８９】
表示部６１０の第２位置は、押圧部６１３の一対の第２ストッパ６１３ｃが一対の当接部３９３の凹部３９３ａにそれぞれ嵌っている位置である。第２位置では、図９及び図１０に示すように、表示部６１０が第２の向きであり、かつ、表示部６１０の頭部６１２がケース３００の第１面３０１から突出している。このように、一対の第２ストッパ６１３ｃと一対の当接部３９３とによって、表示部６１０を第２位置に位置決めする位置決め構造（第２位置決め構造）が構成される。第２位置決め構造は、表示部６１０の回転軸を通る面に対して面対称である。この第２位置決め構造では、表示部６１０が、その回転軸に直交する方向の両側においてケース３００に支持される。そのため、表示部６１０が安定してケース３００に支持される。
【００９０】
ここで、第１位置は、第２位置から表示部６１０を少なくとも所定の回転軸の周りに９０度回転させた位置である。そのため、表示部６１０をケース３００に対して第１位置に位置決めする構造（第１位置決め構造）及び第２位置に位置決めする構造（第２位置決め構造）の両方を、互いに干渉することなく表示部６１０の回転軸を通る面に対して面対称な構造にすることができる。これにより、表示部６１０が第１位置及び第２位置のいずれにおいても安定してケース３００に支持される。
【００９１】
第１ストッパ６１３ｂは第２ストッパ６１３ｃより背が高いため、第１位置は、表示部６１０が第２位置よりもケース３００の第２面３０２側に移動した位置となる。また、第１位置は、第２位置から表示部６１０を少なくとも所定の回転軸の周りに９０度回転させた位置である。そのため、表示部６１０を第１位置と第２位置との間で移動させることで、第４端子ｔ４を突出位置と収納位置との間で移動させることができる。
【００９２】
ここで、表示部６１０が第１位置にある場合（この表示態様を「第１表示態様」という）、表示部６１０が第１の向きである（図３Ｃ参照）。また、表示部６１０が第２位置にある場合（この表示態様を「第２表示態様」という）、表示部６１０が第２の向きである（図１０参照）。そのため、表示部６１０の溝６１２ｄの長手方向が、第１位置と第２位置とで９０度異なる。そのため、表示部６１０の頭部６１２により、第４端子ｔ４が取付部材４に接触している第１状態（オン状態）と第４端子ｔ４が取付部材４に接触していない第２状態（オフ状態）とを判別できる。
【００９３】
表示部６１０を第１位置から第２位置に移動させるには、まず、表示部６１０の頭部６１２を押圧して、表示部６１０を、頭部６１２が挿通規制部３９２よりケース３００の内側に位置する規定位置まで、移動させる。この状態で、表示部６１０を解除方向に９０度回転させて第１の向きから第２の向きとする。この後に、頭部６１２の押圧を終了すると、表示部６１０は第４端子ｔ４によりケース３００の第１面３０１側に押される。これにより、頭部６１２の一部が挿通規制部３９２を通ってケース３００の外部に突出し、また、押圧部６１３の一対の第２ストッパ６１３ｃが一対の当接部３９３の凹部３９３ａにそれぞれ嵌る。その結果、表示部６１０が第２位置に位置する。
【００９４】
一方、表示部６１０を第２位置から第１位置に移動させるには、まず、表示部６１０の頭部６１２を押圧して挿通規制部３９２よりケース３００の内側に移動させる。この状態で、表示部６１０を接続方向に回転させて第２の向きから第１の向きとする。この後に、頭部６１２の押圧を終了すると、表示部６１０は第４端子ｔ４によりケース３００の第１面３０１側に押される。これにより、頭部６１２の一部が挿通規制部３９２を通ってケース３００の外部に突出し、また、押圧部６１３の一対の第１ストッパ６１３ｂが一対の当接部３９３の凹部３９３ａにそれぞれ嵌る。その結果、表示部６１０が第１位置に位置する。
【００９５】
ケース３００は、図３Ａに示すように、一対の排気口３０３を有する。一対の排気口３０３は、ケース３００において一対の接点部３１が収容される空間３０４と繋がっている。一対の排気口３０３は、第２方向において、第３端子保持部３８０の両側に位置する。そのため、一対の接点部３１で発生したガスが一対の排気口３０３から別々に排出されやすくなる。したがって、一対の接点部３１で発生したガスが混ざってしまうことを抑制できる。
【００９６】
また、ケース３００は、図３Ｄに示すように、第４端子ｔ４を外部に露出させる開口３２４を有する。ケース３００には、開口３２４を開閉するカバー３２５が第１方向に沿ってスライド可能に取り付けられる。なお、カバー３２５は必須ではない。
【００９７】
ケース３００は、図６に示すように、内側ケース３１０と、内側ケース３１０を保持する外側ケース３２０と、を備える。
【００９８】
内側ケース３１０は、第３端子ｔ３と、第４端子ｔ４と、表示部６１０と、を保持するケースである。内側ケース３１０は、図６及び図８に示すように、第１半体３１１及び第２半体３１２を有する。第１半体３１１及び第２半体３１２は合成樹脂製であって、電気絶縁性を有している。つまり、内側ケース３１０は、電気絶縁性を有している。第１半体３１１及び第２半体３１２は、第２方向において互いに結合される。
【００９９】
第１半体３１１は、図６に示すように、第３端子ｔ３を保持するための第３端子保持部分３１１ａと、第４端子ｔ４を保持するための第４端子保持部分３１１ｂと、表示部６１０を保持するための表示保持部分３１１ｃと、を有する。さらに、第１半体３１１は、図８に示すように、第２端子ｔ２を保持するための第２端子保持部分３１１ｄと、排気口３０３を形成するための排気通路部３１１ｅと、を有する。また、第１半体３１１は、一対の接点部３１間に配置される隔壁３１１ｆを有する。
【０１００】
第２半体３１２は、図６に示すように、第３端子ｔ３を保持するための第３端子保持部分３１２ａと、第４端子ｔ４を保持するための第４端子保持部分３１２ｂと、表示部６１０を保持するための表示保持部分３１２ｃと、を有する。さらに、第２半体３１２は、第２端子ｔ２を保持するための第２端子保持部分３１２ｄと、排気口３０３を形成するための排気通路部３１２ｅと、を有する。
【０１０１】
第１半体３１１及び第２半体３１２が結合されることにより、図７に示すように、第３端子保持部分３１１ａ，３１２ａが第３端子保持部３８０を形成する。また、第４端子保持部分３１１ｂ，３１２ｂが第４端子保持部３４０を形成し、表示保持部分３１１ｃ，３１２ｃが表示保持部３９０を形成する。このように、内側ケース３１０は、第３端子保持部３８０、第４端子保持部３４０、及び表示保持部３９０を有する。第３端子ｔ３と、第４端子ｔ４と、表示部６１０とが内側ケース３１０に取り付けられることで、図７に示すアースブロック９００が得られる。
【０１０２】
外側ケース３２０は、第２方向における内側ケース３１０の両側をそれぞれ覆う第１部位３２１及び第２部位３２２を有する。第１部位３２１及び第２部位３２２は、ケース３００を第２方向に直交する面で２分割して得られるような形状である。また、外側ケース３２０は、内側ケース３１０とともに、ケース３００の空間３０４を第１部位３２１側の第１空間と第２部位３２２側の第２空間とに仕切る第３部位３２３を有する。第１空間は、一対の接点部３１の一方を収容する空間であり、第２空間は、一対の接点部３１の他方を収容する空間である。
【０１０３】
第１部位３２１、第２部位３２２、及び、第３部位３２３は、合成樹脂製であって、電気絶縁性を有している。つまり、外側ケース３２０は、電気絶縁性を有している。
【０１０４】
第１部位３２１は、第２端子ｔ２を保持するための第２端子保持部分３２１ａと、排気口３０３を形成するための排気孔３２１ｂと、を有する。第１部位３２１は、第１半体３１１の第２半体３１２とは反対側の面を覆うように第１半体３１１に結合され、第２端子保持部分３１１ｄ，３２１ａが第２端子保持部３７０を形成し、排気通路部３１１ｅと排気孔３２１ｂが排気口３０３を形成する。この排気口３０３は第１空間に繋がる。したがって、第１空間内の接点部３１の周囲で発生したガスは、この排気口３０３を介してケース３００の外部に排出される。
【０１０５】
第２部位３２２は、第２端子ｔ２を保持するための第２端子保持部分３２２ａと、排気口３０３を形成するための排気孔３２２ｂと、を有する。第２部位３２２は、第２半体３１２の第１半体３１１とは反対側の面を覆うように第２半体３１２に結合され、第２端子保持部分３１２ｄ，３２２ａが第２端子保持部３７０を形成し、排気通路部３１２ｅと排気孔３２２ｂが排気口３０３を形成する。この排気口３０３は第２空間に繋がる。したがって、第２空間内の接点部３１の周囲で発生したガスは、この排気口３０３を介してケース３００の外部に排出される。
【０１０６】
このように、第１部位３２１は、内側ケース３１０において第１部位３２１と対向する部位（第２端子保持部分３１１ｄ）とともに、第２端子保持部３７０の一方を構成する。第２部位３２２は、内側ケース３１０において第２部位３２２と対向する部位（第２端子保持部分３１２ｄ）とともに、第２端子保持部３７０の一方を構成する。
【０１０７】
このように、ケース３００では、内側ケース３１０が２つの第２端子ｔ２の間に位置し、かつ、第３端子ｔ３及び第４端子ｔ４を保持する。そのため、２つの第２端子ｔ２間の絶縁距離を確保しながらも、分岐開閉器３の回路の対称性の向上を図ることができる。よって、分岐開閉器３の遮断及び絶縁性能がより安定する。
【０１０８】
次に、作業者が開閉器（分岐開閉器３）を取付部材４に取り付ける際の作業工程について説明する。初期状態では、表示部６１０は第２位置にあるとする。
【０１０９】
作業者は、分岐開閉器３の第２面３０２を取付部材４に向け、スリット３５０に導電バー５を差し込むようにして、分岐開閉器３を取付部材４に取り付ける。このようにして分岐開閉器３が取付部材４に取り付けられると、分岐開閉器３が取付部材４に機械的に保持される。分岐開閉器３が取付部材４に取り付けられた状態では、刃受け部材３６０が対応する導電バー５に電気的に接続されている。この状態では、表示部６１０は第２位置にあり、接触端子５００は接続対象部材（取付部材４）に接触していない第２状態（オフ状態）にある。
【０１１０】
次に、作業者は、第４端子ｔ４（接触端子５００）と接続対象部材（取付部材４）とを電気的に接続する。つまり、作業者は、分岐開閉器３が取付部材４に取り付けられた状態で、工具を用いて操作部（表示部６１０）を操作する。このとき、第４端子ｔ４（接触端子５００）と接続対象部材（取付部材４）との関係は、接触端子５００が取付部材４に接触していない第２状態にあるため、作業者は、第２状態から第１状態へ切り替える接続操作を行う。具体的には、作業者は、表示部６１０の溝６１２ｄに工具の先端部を挿入し、頭部６１２を挿通規制部３９２よりケース３００の内側に押し込む。この後に、作業者は、工具を用いて表示部６１０を接続方向（図１０における時計回り方向）に約９０度回転させる。これによって、表示部６１０は第２位置から第１位置に移動し、接触端子５００が移動して取付部材４に接触する。これにより、第４端子ｔ４である接触端子５００が、接続対象部材である取付部材４に電気的に接続された状態（第１状態）となり、第４端子ｔ４と接続対象部材との電気的な接続作業が完了する。
【０１１１】
このようにして分岐開閉器３が取付部材４に取り付けられ、第４端子ｔ４が取付部材４に電気的に接続された状態では、第３端子ｔ３が接続回路３２と第４端子ｔ４とを介して取付部材４に電気的に接続される。
【０１１２】
分岐開閉器３では、取付部材４に電気的に接続される第４端子ｔ４がケース３００の第２面３０２に設けられているから、分岐開閉器３が取付部材４に取り付けられた状態では、作業者は、第４端子ｔ４が取付部材４に接続されているか否かを直接目視できない。ただし、第４端子ｔ４が取付部材４に電気的に接続されていない第２状態（オフ状態）では、表示部６１０の溝６１２ｄの長手方向がケース３００の第１方向（本実施形態では長手方向）と平行になる（図１０参照）。一方、第４端子ｔ４が取付部材４に電気的に接続されている第１状態（オン状態）では、表示部６１０の溝６１２ｄの長手方向がケース３００の第１方向と直交する（図３Ｃ参照）。したがって、作業者は、表示部６１０の溝６１２ｄの向きによって、第４端子ｔ４が取付部材４に電気的に接続されているか否かを、目視で容易に把握できる。
【０１１３】
この後に、作業者は、分岐開閉器３及び取付部材４を含む内器ブロックをキャビネット１０に取り付け、接地線２０５を介して、取付部材４をキャビネット１０の接地端子１１に電気的に接続する。これにより、分岐開閉器３の第３端子ｔ３（速結端子８００）は、取付部材４を介して接地端子１１に電気的に接続されることになる。そのため、分岐開閉器３の速結端子８００に、負荷１１０の接地電線２０３が接続されると、接地電線２０３が取付部材４を介して接地端子１１に電気的に接続されて、接地電線２０３が接地される。分岐開閉器３では、接地電線２０３が接続される第３端子ｔ３を速結端子８００で構成しているので、接地電線２０３を接続する作業を簡単にできる。
【０１１４】
作業者は、第４端子ｔ４（接触端子５００）と接続対象部材（取付部材４）との電気的な接続を解除する際も、工具を用いて操作部（表示部６１０）を操作してもよい。接触端子５００が取付部材４に接触している第１状態から、接触端子５００が取付部材４に接触していない第２状態への切り替えに際しては、作業者は、解除操作を行う。具体的には、作業者は、表示部６１０の溝６１２ｄに工具の先端部を挿入し、頭部６１２を挿通規制部３９２よりケース３００の内側に押し込む。この後に、作業者は、工具を用いて表示部６１０を解除方向（図３Ｃにおける反時計回り方向）に約９０度回転させる。これによって、表示部６１０は第１位置から第２位置に移動し、接触端子５００が移動して取付部材４から離れる。これにより、第４端子ｔ４である接触端子５００が、接続対象部材である取付部材４に電気的に接続されていない第２状態（オフ状態）となり、第４端子ｔ４と接続対象部材との電気的な接続が解除される。
【０１１５】
以上述べた分岐開閉器３では、ケース３００は、第１方向（図３Ｂの左右方向）の第２端部（図３Ｂの右端部）に、２つの第２端子保持部３７０と、第３端子保持部３８０と、を備える。２つの第２端子保持部３７０は、図３Ａに示すように、ケース３００の第１方向（図３Ａの紙面に直交する方向）に直交する第２方向（図３Ａの左右方向）において並ぶ。第３端子保持部３８０は、第２方向（図３Ａにおける左右方向）において、一対の第２端子保持部３７０の中間に位置する。そのため、分岐開閉器３の回路（特に、電源１００と負荷との間の電力供給路を構成する回路）をケース３００内に、第２方向に直交し、かつ、２つの第２端子保持部３７０間の中点を通る面に対して面対称に配置できる。これにより、分岐開閉器３の回路の対称性の向上を図ることができる。したがって、分岐開閉器３は、安定した遮断及び絶縁性能を実現できる。
【０１１６】
２．変形例
本発明の実施形態は、上記の実施形態に限定されない。上記の実施形態は、本発明の目的を達成できれば、設計等に応じて種々の変更が可能である。
【０１１７】
上記実施形態において、分岐開閉器３の各部品の形状や寸法は、本発明の目的を達成できる範囲で変更してもよい。例えば、ケース３００の第１方向、第２方向、及び第３方向の寸法の関係は特に限定されない。例えば、第２方向の寸法が第３方向の寸法より大きくてもよい。また、ケース３００は、必ずしも直方体状である必要はない。
【０１１８】
また、第３端子保持部３８０は、２つの第２端子保持部３７０と第２方向において並ぶように、２つの第２端子保持部３７０の中間に位置していてもよい。ただし、第３端子保持部３８０が２つの第２端子保持部３７０と第２方向において並ばないようにすることで、ケース３００の第２方向の寸法を小さくでき、小型化を図ることができる。
【０１１９】
また、第１端子ｔ１、第２端子ｔ２、及び接点部３１の数についても、とくに２つには限定されず、１つ又は３つ以上であってもよい。また、第３端子ｔ３、第４端子ｔ４、及び接続回路３２の数についても、とくに１つには限定されず、２以上であってもよい。ここで、第３端子ｔ３を複数設ける場合、第３端子保持部３８０は、第３方向に沿って複数並べられることが好ましい。
【０１２０】
また、上記実施形態では、第２解除部材８６０が、２つの第１解除部材７６０と材料の色が異なっている。しかしながら、第２解除部材８６０は、一対の第１解除部材７６０の一方と材料の色が同じでもよい。つまり、一対の第１解除部材７６０及び第２解除部材８６０のうちの一つは、他と材料の色が異なっていればよい。この場合、一対の第１解除部材７６０及び第２解除部材８６０のうちの一つを他よりも目立たせることができ、誤操作を抑制できる。また、材料の色自体が異なっているから、着色作業が必要なくなるから製造コストの低減が期待できる。
【０１２１】
また、第１解除部材７６０は、操作突起７７０の押圧に応じて、直線的に移動して、作用突起７６２で第１鎖錠ばね７２０の一部を押圧するように構成されていてもよい。この点は、第２解除部材８６０においても同様である。
【０１２２】
また、上記実施形態では、２つの第１端子ｔ１は、図３Ｂにおける上側のスリット３５０と下側のスリット３５０とに配置されているが、この構成に限定されない。２つの第１端子ｔ１は、３つのスリット３５０のうちの２つに配置されていればよく、特に限定されない。なお、２つの第１端子ｔ１が３つのスリット３５０のうちのどの２つに配置されるかは、分岐開閉器３から負荷１１０に供給する電圧によって決定される。また、第１端子ｔ１は、ねじ端子や、速結端子であってもよい。
【０１２３】
また、上記実施形態では第２端子ｔ２は速結端子７００であって、第３端子ｔ３は速結端子８００であるが、これに限定されない。第２端子ｔ２はねじ端子であってもよいし、第３端子ｔ３も同様にねじ端子であってもよい。なお、第２端子保持部３７０及び第３端子保持部３８０は、第２端子ｔ２及び第３端子ｔ３の形状に応じて適宜変更される。
【０１２４】
また、第４端子ｔ４は、必ずしも一対の接点５１０ｂを有していなくてもよい。第４端子ｔ４は、接続対象（上記実施形態では取付部材４）に適した形状であればよい。第４端子ｔ４の接続対象は、取付部材４でなくてもよく、例えば、電線等であってもよい。この場合、第４端子ｔ４は、ねじ端子や、速結端子であってもよい。また、第４端子ｔ４は、刃受けばねのような形状であってもよい。また、第４端子ｔ４は、第４端子ｔ４の全体が移動する必要はなく、第４端子ｔ４の一部が移動してもよい。例えば、第４端子ｔ４が変形することにより、第４端子ｔ４における接続対象部材との接触部位が部分的に移動するようにしてもよい。また、第４端子ｔ４は、ケース３００に対して移動可能でなくてもよく、ケース３００に固定されていてもよい。
【０１２５】
また、標識部８９０は、アースを示す記号に限定されず、例えば、アースを示す文字等であってもよい。要するに、標識部８９０は、第３端子ｔ３の種類（上記実施形態ではアース）を示す機能を有していればよい。また、標識部８９０は、第３端子ｔ３の第２解除部材８６０に設けられていなくてもよく、第３端子ｔ３の別の部位に設けられていてもよい。また、標識部８９０は、第３端子ｔ３ではなく第３端子保持部３８０に設けられていてもよい。要するに、標識部８９０は、第３端子ｔ３又は第３端子保持部３８０に設けられていればよい。
【０１２６】
また、接続回路３２は、編組線に限定されず、金属板やその他の導線であってもよい。要するに、接続回路３２は、抵抗値が接地工事の種類ごとに定められた接地抵抗値に適合していればよい。
【０１２７】
上記実施形態では、表示部６１０は、第２位置において、表示部６１０の一部（頭部６１２）がケース３００の第１面３０１から突出する。また、表示部６１０は、第１位置において、表示部６１０の全体がケース３００の内側に位置する。しかしながら、表示部６１０はこの構成に限定されない。表示部６１０は、第１位置において、表示部６１０の一部がケース３００の第１面３０１から突出し、第２位置において、表示部６１０の全体がケース３００の内側に引っ込むように構成されてもよい。また、表示部６１０が第１位置及び第２位置のいずれにあるかを作業者が判別可能であれば、第１位置及び第２位置の両方で表示部６１０の一部がケース３００の第１面３０１から突出するように、表示部６１０が構成されてもよい。また、表示部６１０が第１位置及び第２位置のいずれにあるかを作業者が判別可能であれば、第１位置及び第２位置の両方で表示部６１０の全体がケース３００の内側に引っ込むように、表示部６１０が構成されてもよい。
【０１２８】
また、第１位置は、第２位置から表示部６１０を少なくとも所定の回転軸の周りに０超過９０度以下回転させた位置であってもよい。第１位置と第２位置との間の表示部６１０の回転角度が０超過９０度以下であれば、第１位置決め構造及び第２位置決め構造の両方を、互いに干渉することなく表示部６１０の回転軸を通る面に対して面対称な構造にすることができる。特に、上記実施形態では、第１位置と第２位置との間の表示部６１０の回転角度が９０度となっている。そのため、一対の当接部３９３の各々では、凹部３９３ａが、第１ストッパ６１３ｂが嵌る凹部及び第２ストッパ６１３ｃが嵌る凹部として機能している。
【０１２９】
また、表示部６１０の目印は、溝６１２ｄでなくてもよい。例えば、目印は、プリント等により表示部６１０に形成された記号等であってもよい。ただし、目印が表示部６１０に形成された突起や溝などであれば、プリント等の作業が不要になり、製造コストの低下が図れる。
【０１３０】
上記実施形態では、表示部６１０は、第１位置と第２位置との間で直進移動するようにケース３００に保持されているが、第１位置と第２位置との間で移動可能なようにケース３００に保持されていればよく、表示部６１０は適宜変更が可能である。また、上記実施形態では、表示部６１０が、第１位置と第２位置との間で移動可能に設けられた可動部材であるが、表示部６１０は可動部材に限定されない。表示部６１０は表示ランプで構成されてもよく、表示ランプの点灯、消灯でオン状態及びオフ状態を表示してもよい。また、表示部６１０は、第４端子ｔ４を突出位置と収納位置との間で移動させる操作部として機能しなくてもよい。また、開閉器は、必ずしも表示部６１０を備えていなくてもよい。
【０１３１】
また、接続対象部材は、接地用に限定されず、例えば、分岐開閉器３と分岐開閉器３の外部の回路（外部回路）とを電気的に接続するための部材であってもよい。この場合、接続対象部材は、外部回路と電気的に接続される。外部回路の具体例としては、分岐開閉器３に備えられた通信回路との間で通信する通信回路などがある。例えば、分岐開閉器３が電流、電圧、電力、温度などを測定する測定回路を備えている場合は、外部回路である通信回路が分岐開閉器３の通信回路と通信を行うことで、測定値を受信することができる。また、分岐開閉器３が漏電、過負荷などの異常や故障の有無を検知する機能を備えている場合には、外部回路である通信回路が分岐開閉器３の通信回路と通信を行うことで、異常や故障の有無を検知した結果を受信することができる。また、接続対象部材は、取付部材４に限らず、その他の導電性部材であってもよい。
【０１３２】
上記実施形態の開閉器は、分岐開閉器として用いられるが、本発明に係る実施形態の開閉器は分岐開閉器に限定されない。本発明に係る実施形態の開閉器は、例えば、主幹開閉器、及び連系開閉器（連系ブレーカ）などであってもよい。連系開閉器として用いられる開閉器においては、分散電源が負荷となる。
【０１３３】
また、本発明に係る実施形態の開閉器は、電流制限機能を備えた遮断器であってもよい。このような遮断器は、例えば、漏電遮断器（ＥＬＢ：Earth Leakage circuit Breaker）や、配線用遮断器（ＭＣＢ：Molded Case Circuit Breaker）である。また、本発明に係る実施形態の開閉器は、電流制限機能を備えていない負荷開閉器でもよいし、電流が流れていない状態（無負荷状態）で接点部３１が開閉する断路器でもよい。
【０１３４】
３．態様
上記内容から明らかなように、本発明に係る第１の態様の開閉器（３）は、２つの第１端子（ｔ１）と、２つの第２端子（ｔ２）と、２つの接点部（３１）と、第３端子（ｔ３）と、第４端子（ｔ４）と、接続回路（３２）と、ケース（３００）と、を備える。前記２つの第１端子（ｔ１）は、電源（１００）が電気的に接続される。前記２つの第２端子（ｔ２）は、負荷（１１０）からの２つの非接地電線（２０２）が接続される。前記２つの接点部（３１）は、前記２つの第１端子（ｔ１）と前記２つの第２端子（ｔ２）との間にそれぞれ電気的に接続される。前記第３端子（ｔ３）は、前記負荷（１１０）からの電線（２０３）が接続される。前記第４端子（ｔ４）は、接続対象部材（４）に電気的に接続される。前記接続回路（３２）は、前記第３端子（ｔ３）と前記第４端子（ｔ４）とを電気的に接続する。前記ケース（３００）は、前記２つの第２端子（ｔ２）をそれぞれ保持する２つの第２端子保持部（３７０）及び前記第３端子（ｔ３）を保持する第３端子保持部（３８０）を有する。前記ケース（３００）は、前記２つの接点部（３１）及び前記接続回路（３２）を収容する。前記２つの第２端子保持部（３７０）及び前記第３端子保持部（３８０）は、前記ケース（３００）の第１方向の端部にある。前記２つの第２端子保持部（３７０）は、前記第１方向に直交する第２方向に並ぶ。前記第３端子保持部（３８０）は、前記第２方向において、前記２つの第２端子保持部（３７０）の中間にある。第１の態様によれば、安定した遮断及び絶縁性能を実現できる。
【０１３５】
本発明に係る第２の態様の開閉器（３）は、第１の態様との組み合わせにより実現され得る。第２の態様では、前記ケース（３００）は、前記２つの接点部（３１）が収容される空間（３０４）と繋がる一対の排気口（３０３）を有する。前記一対の排気口（３０３）は、前記第２方向において、前記第３端子保持部（３８０）の両側に位置する。第２の態様によれば、２つの接点部（３１）で発生したガスが２つの排気口（３０３）から別々に排出されやすくなる。そのため、２つの接点部（３１）で発生したガスが混ざることを抑制できる。
【０１３６】
本発明に係る第３の態様の開閉器（３）は、第１又は第２の態様との組み合わせにより実現され得る。第３の態様は、前記２つの接点部（３１）を開閉するためのハンドル（３３０）を更に備える。前記ハンドル（３３０）は、前記ケース（３００）における前記第１方向及び前記第２方向に直交する第３方向の第１面（３０１）に設けられる。前記第３端子保持部（３８０）は、前記２つの第２端子保持部（３７０）よりも、前記ケース（３００）の前記第１面（３０１）とは反対側の第２面（３０２）側にある。第３の態様によれば、第３端子保持部（３８０）が一対の第２端子保持部（３７０）と第２方向において並ばないから、ケース（３００）の第２方向の寸法を小さくして薄型化が図れる。
【０１３７】
本発明に係る第４の態様の開閉器（３）は、第３の態様との組み合わせにより実現され得る。第４の態様では、前記第３端子保持部（３８０）は、前記第１方向において、前記２つの第２端子保持部（３７０）よりも前記ケース（３００）の外方に突出している。第４の態様によれば、ケース（３００）の第１面（３０１）側から第３端子保持部（３８０）を視認しやすくなり、第３端子（ｔ３）に電線（２０３）を接続しやすくなる。
【０１３８】
本発明に係る第５の態様の開閉器（３）は、第１〜第４の態様のいずれか一つとの組み合わせにより実現され得る。第５の態様では、前記２つの第２端子（ｔ２）は、それぞれ、前記２つの第２端子（ｔ２）と前記２つの非接地電線（２０２）との接続を解除するための２つの第１解除部材（７６０）を有する。前記第３端子（ｔ３）は、前記第３端子（ｔ３）と前記電線（２０３）との接続を解除するための第２解除部材（８６０）を有する。前記２つの第１解除部材（７６０）及び前記第２解除部材（８６０）のうちの一つは、他と材料の色が異なる。第５の態様によれば、２つの第１解除部材（７６０）及び第２解除部材（８６０）のうちの一つを他よりも目立たせることができ、誤操作を抑制できる。また、材料の色自体が異なっているから、着色作業が必要なくなるから製造コストの低減が期待できる。
【０１３９】
本発明に係る第６の態様の開閉器（３）は、第５の態様との組み合わせにより実現され得る。第６の態様では、前記第２解除部材（８６０）は、前記２つの第１解除部材（７６０）と材料の色が異なる。第６の態様によれば、第２解除部材（８６０）と第１解除部材（７６０）とを容易に区別することができ、第１解除部材７６０及び第２解除部材８６０の誤操作を抑制できる。
【０１４０】
本発明に係る第７の態様の開閉器（３）は、第１〜第６の態様のいずれか一つとの組み合わせにより実現され得る。第７の態様は、前記第３端子（ｔ３）の種類を示す標識部（８９０）を更に備える。前記標識部（８９０）は、前記第３端子（ｔ３）又は前記第３端子保持部（３８０）に設けられる。第７の態様によれば、第３端子（ｔ３）の種類を容易に判別できる。
【０１４１】
本発明に係る第８の態様の開閉器（３）は、第１〜第７の態様のいずれか一つとの組み合わせにより実現され得る。第８の態様では、前記ケース（３００）は、前記第４端子（ｔ４）を保持する第４端子保持部（３４０）を有する。前記第４端子保持部（３４０）は、前記第１方向及び前記第２方向に直交する方向において、前記第３端子保持部（３８０）と並ぶ。第８の態様によれば、分岐開閉器（３）の回路の対称性の向上を図ることができ、分岐開閉器（３）の遮断及び絶縁性能がより安定する。
【０１４２】
本発明に係る第９の態様の開閉器（３）は、第８の態様との組み合わせにより実現され得る。第９の態様では、前記ケース（３００）は、電気絶縁性を有する内側ケース（３１０）と、電気絶縁性を有する外側ケース（３２０）と、を含む。前記内側ケース（３１０）は、前記第３端子保持部（３８０）及び前記第４端子保持部（３４０）を構成する。前記外側ケース（３２０）は、前記第２方向における前記内側ケース（３１０）の両側をそれぞれ覆う第１部位（３２１）及び第２部位（３２２）を有する。前記２つの第２端子保持部（３７０）の一方は、前記第１部位（３２１）と、前記内側ケース（３１０）における前記第１部位（３２１）と対向する部位（３１１）とで構成される。前記２つの第２端子保持部（３７０）の他方は、前記第２部位（３２２）と、前記内側ケース（３１０）における前記第２部位（３２２）と対向する部位（３１２）とで構成される。第９の態様によれば、内側ケース（３１０）が２つの第２端子（ｔ２）の間に位置し、かつ、第３端子（ｔ３）及び第４端子（ｔ４）を保持する。そのため、２つの第２端子（ｔ２）間の絶縁距離を確保しながらも、分岐開閉器（３）の回路の対称性の向上を図ることができる。よって、分岐開閉器（３）の遮断及び絶縁性能がより安定する。
【０１４３】
本発明に係る第１０の態様の分電盤（１）は、第１〜第９の態様のいずれか一つの開閉器（３）と、前記開閉器（３）を収容するキャビネット（１０）と、を備える。第１０の態様によれば、安定した遮断及び絶縁性能を実現できる。
【符号の説明】
【０１４４】
１  分電盤
３  分岐開閉器（開閉器）
４  接続対象部材
１０  キャビネット
３１  接点部
３２  接続回路
１００  電源
１１０  負荷
２０２  非接地電線
２０３  接地電線（電線）
３００  ケース
３０１  第１面
３０２  第２面
３０３  排気口
３０４  空間
３１０  内側ケース
３１１  第１半体（部位）
３１２  第２半体（部位）
３２０  外側ケース
３２１  第１部位
３２２  第２部位
３７０  第２端子保持部
３８０  第３端子保持部
７６０  第１解除部材
８６０  第２解除部材
８９０  標識部
ｔ１  第１端子
ｔ２  第２端子
ｔ３  第３端子
ｔ４  第４端子
【図１】
2018037318.tif 000003
【図２】
2018037318.tif 000004
【図３】
2018037318.tif 000005
【図４】
2018037318.tif 000006
【図５】
2018037318.tif 000007
【図６】
2018037318.tif 000008
【図７】
2018037318.tif 000009
【図８】
2018037318.tif 000010
【図９】
2018037318.tif 000011
【図１０】
2018037318.tif 000012